(57)【要約】【課題】踵開口部の周縁のごろつき感をなくし快適で丈夫なトレンカを容易に製造可能とする。【解決手段】パンティ部と該パンティ部に連続する一対のレッグ部およびフット部を有し、足先と踵を露出させて着用するトレンカであって、熱融着弾性糸を含む糸で編成され、該熱融弾性糸を熱融着させてほつれ止め機能を付与した伸縮性編地からなり、前記フット部の足先を露出させる足先開口部および踵を露出させる踵開口部のうち、少なくとも前記踵開口部の周縁が縫着されずに切りっぱなしの状態とされ、非着用時における前記踵開口部の形状は編地の縦方向を短軸方向、編地の横方向を長軸方向とする楕円または長円形状として前記踵開口部の周縁にＲを持たせている。【選択図】図２
2011179134.tif 000002
【特許請求の範囲】
【請求項１】
熱融着弾性糸を含む糸で編成され該熱融弾性糸を熱融着させてほつれ止め機能を付与した伸縮性編地、又は熱合着弾性糸を含む糸で編成され該熱合着弾性糸を熱合着させてほつれ止め機能を付与した伸縮性編地からなることを特徴とする下肢用衣類。
【請求項２】
請求項１に記載の下肢用衣類が、足先と踵を露出させて着用するトレンカであって、足先を露出させる足先開口部および踵を露出させる踵開口部のうち、少なくとも前記踵開口部の周縁が縫着されずに切りっぱなしの状態とされ、非着用時における前記踵開口部の形状は編地の縦方向を短軸方向、編地の横方向を長軸方向とする楕円または長円形状であることを特徴とする下肢用衣類。
【請求項３】
請求項２に記載の下肢用衣類が、パンティ部と該パンティ部に連続する一対のレッグ部およびフット部を有し足先と踵を露出させて着用するトレンカであることを特徴とする下肢用衣類。
【請求項４】
請求項２又は請求項３に記載の下肢用衣類が、非着用時における前記踵開口部の形状は編地の縦方向を短軸方向、編地の横方向を長軸方向とする楕円または長円形状として前記踵開口部の周縁にＲを持たせているトレンカであることを特徴とする下肢用衣類。
【請求項５】
ストッキング状の編地をシングルカバリング糸を用いて編成し、該編地に１００〜１３０℃で５〜６０秒間ヒートセット加工を行った後、編地をカットして周縁が切りっぱなし状態の開口部を形成している請求項１乃至請求項４のいずれか１項に記載の下肢用衣類の製造方法。
【発明の詳細な説明】
【技術分野】
【０００１】
本発明は下肢用衣類およびその製造方法に関し、詳しくは、踵を露出させる開口部周縁のごろつき感をなくし、快適で丈夫なトレンカを容易に製造可能とするものである。
【背景技術】
【０００２】
足先と踵を露出させて着用するトレンカとして、例えば特開２００９−２７０２２３号公報（特許文献１）には、切開した踵部の編地１０１をレッグ部１０２およびフット部１０３側に折り目１０４で畳み込み、縫着ライン１０５に沿って縫着することで踵を露出させる開口部（踵開口部）１０６の周縁を補強したトレンカ１００が提案されている（図４参照）。
【０００３】
一方、レッグ部１１２にパンティ部１１１を連続させたストッキングタイプのトレンカ１１０（図５参照）は、土踏まず位置まで脚を覆うことで脚を視覚的に長く見せ、足先部が露出するためパンプスにも合わせやすい等の理由で近年着用者が増加している。このようなトレンカ１１０においてもフット部１１３の踵開口部１１４の周縁に力がかかるため当該領域の強度を高めておく必要はあるが、前記特許文献１のように編地を踵開口部１１４の周縁で折り返して縫着すると、ごろつき感が生じ快適な着用感が得られにくいという問題がある。また、編地を踵開口部１１４の周縁で折り返して縫着する工程が必要となるため、製造に手間がかかるという問題もある。
【先行技術文献】
【特許文献】
【０００４】
【特許文献１】特開２００９−２７０２２３号公報
【発明の概要】
【発明が解決しようとする課題】
【０００５】
本発明は前記問題に鑑みてなされたものであり、下肢用衣類、特に、踵を露出させる開口部周縁のごろつき感をなくし快適で丈夫なトレンカやレギンスを容易に製造可能とすることを課題としている。
【課題を解決するための手段】
【０００６】
前記課題を解決するため、第１の発明は、熱融着弾性糸を含む糸で編成され該熱融弾性糸を熱融着させてほつれ止め機能を付与した伸縮性編地、又は熱合着弾性糸を含む糸で編成され該熱合着弾性糸を熱合着させてほつれ止め機能を付与した伸縮性編地からなる下肢用衣類を提供している。
【０００７】
第２の発明は、第１の発明に係る下肢用衣類が、足先と踵を露出させて着用するトレンカであって、足先を露出させる足先開口部および踵を露出させる踵開口部のうち、少なくとも前記踵開口部の周縁が縫着されずに切りっぱなしの状態とされ、非着用時における前記踵開口部の形状は編地の縦方向を短軸方向、編地の横方向を長軸方向とする楕円または長円形状であることを特徴とする下肢用衣類を提供している。
【０００８】
第３の発明は、第２の発明に係る下肢用衣類が、パンティ部と該パンティ部に連続する一対のレッグ部およびフット部を有し足先と踵を露出させて着用するトレンカであることを特徴とする下肢用衣類を提供している。
【０００９】
第４の発明は、第２の発明又は第３の発明に係る下肢用衣類が、非着用時における前記踵開口部の形状は編地の縦方向を短軸方向、編地の横方向を長軸方向とする楕円または長円形状として前記踵開口部の周縁にＲを持たせているトレンカであることを特徴とする下肢用衣類を提供している。
【００１０】
第５の発明は、ストッキング状の編地をシングルカバリング糸を用いて編成し、該編地に１００〜１３０℃で５〜６０秒間ヒートセット加工を行った後、編地をカットして周縁が切りっぱなし状態の開口部を形成している前記下肢用衣類の製造方法を提供している。
【００１１】
前記のように、本発明の下肢用衣類（トレンカ、レギンス等）は熱融着弾性糸を熱融着させてほつれ止め機能を付与した編地又は熱合着弾性糸を熱合着させてほつれ止め機能を付与した編地からなるため、足先開口部や踵開口部の周縁が縫着されずに切りっぱなし状態であっても端末からほつれが生じず強度低下を防止できる。なお、前記熱合着弾性糸とは、絡み合った繊維が熱により熱固定される弾性糸のことをいう。したがって、編地を折り返して縫着する等の作業が不要となり製造が容易となると共に、縫着によるごろつき感もないため快適な着用感を得ることができる。特に本発明では、非着用時における前記踵開口部の形状を、編地の縦方向を短軸方向、編地の横方向を長軸方向とする楕円または長円形状として前記踵開口部の周縁にＲを持たせている。この構成により、着用によって前記踵開口部の周縁に引張力が加えられても応力集中を防いでほつれの発生を効果的に防止することができ、繰り返し着用に耐えうる強度を保持することができる。
【００１２】
前記熱融着弾性糸又は熱合着弾性糸を含む糸は、繊度２０〜８０デシテックスのポリウレタン糸にドラフト率２．５〜３．５倍、撚り数２００〜１０００Ｔ／ｍで繊度１０〜１２０デシテックスのナイロン糸を巻き付けたシングルカバリング糸とし、該シングルカバリング糸で編成した編地にヒートセット加工を施していると共に、前記踵開口部の前記楕円または長円形状の短径を０．５〜４ｃｍ、長径を３〜９ｃｍとしていることが好ましい。
【００１３】
前記熱融着弾性糸又は熱合着弾性糸を含む糸として、前記のように、熱融着弾性糸又は熱合着弾性糸であるポリウレタン糸を芯糸とし該芯糸の周りにナイロン糸を巻き付けたシングルカバリング糸を用い、前記シングルカバリング糸を構成するポリウレタン糸の繊度やドラフト率、ナイロン糸の繊度や撚り数を前記範囲内とすることで、薄手で肌触りのよいフィット性に優れた編地を編成できると共にヒートセット加工によりポリウレタン糸同士の熱融着又は熱合着を促進してほつれ止め機能を高めることができる。
また、前記のように、踵開口部の前記楕円または長円形状の短径を０．５〜４ｃｍ、長径を３〜９ｃｍとすることで、前記薄手の編地からなるトレンカの踵開口部周縁に引張力が加えられてもほつれの発生が効果的に防止され、かつ土踏まずや足首とのフィット感も向上する。なお、開口部の楕円または長円形状には、瓢箪型も含まれる。
【００１４】
前記ストッキング状の編地には前記足先開口部が予め形成されていてもよいし、前記踵開口部と同様に形成されずに足先まで連続させていてもよい。足先開口部および踵開口部が形成されていないストッキング状編地を前記シングルカバリング糸で編成した場合には、前記ヒートセット温度、ヒートセット時間でヒートセット加工を行った後、足先部分および踵部分の編地をカットするだけでトレンカの製造を完了させることができる。また、ダブルウエルトやシングルウエルト等の端末組織により足先開口部は形成されているが踵開口部が形成されていないストッキング状編地を編成した場合には、前記ヒートセット加工後に踵部分の編地をカットするだけでトレンカの製造が完了する。即ち、前記構成によれば、踵開口部の周縁を縫着するなど手間のかかる端始末作業が不要となるため、トレンカを容易に製造することができる。また、ヒートセット加工後に踵部分の編地をカットすることでカット時のほつれも防止できる。
【００１５】
前記ストッキング状の編地は丸編地からなることが好ましい。具体的には、少なくとも土踏まず位置まで筒状に編成された１対の丸編地を用い、パンティ部に相当する部分に切れ目を入れて裁断線同士をつき合わせて縫着し、一体化させることにより前記ストッキング状の編地を得ることができる。編組織は、プレーン（平編組織）でよいが、種々の編組織を組み合わせてもよい。
【００１６】
前記編地編成後のヒートセット加工において、ヒートセット温度が１００度未満であったりヒートセット時間が５秒未満であったりすると、ポリウレタン糸同士の熱融着又は熱合着が不完全となりやすく、十分なほつれ止め機能が付与できない場合がある。一方、ヒートセット温度が１３０度を超えたりヒートセット時間が６０秒を超えたりすると、編地が熱により硬くなったり変色したりするおそれがある。
【００１７】
前記ヒートセット加工後、前記ストッキング状編地の各レッグ部ならびにフット部の前中心線と後中心線を折り線として、レッグ部、フット部の内側面と外側面を重ね合わせ、踵位置で前記後中心線を短軸とする半長円形状または半楕円形状に編地をカットすることで、前記長円形状または楕円形状の踵開口部を形成することができる。足先までのストッキング状編地においては、土踏まず付近の所定位置で前記重ね合わせた編地を編地横方向に略直線状にカットすることで足先開口部を形成することができる。前記足先開口部の周縁も踵開口部と同様、切りっぱなし状態とすることができるが、編地を足先開口部の周縁で折り返して縫着してもよいし、シングルウエルトやダブルウエルト等の端末組織から足先開口部を形成してもよい。
【発明の効果】
【００１８】
前述したように、本発明の下肢用衣類、特にトレンカは熱融着弾性糸を含む糸で編成され該熱融着弾性糸を熱融着させてほつれ止め機能を付与した編地、又は熱合着弾性糸を含む糸で編成され該熱合着弾性糸を熱合着させてほつれ止め機能を付与した伸縮性編地からなるため、足先開口部や踵開口部の周縁が縫着されずに切りっぱなしの状態であっても端末からほつれが生じず強度低下を防止できる。したがって、開口部の周縁で編地を折り返して縫着する等の作業が不要となり製造が容易となると共に、縫着によるごろつき感もないため快適な着用感を得ることができる。特に本発明では、非着用時における前記踵開口部の形状を、編地の縦方向を短軸方向、編地の横方向を長軸方向とする楕円または長円形状として前記踵開口部の周縁にＲを持たせているため、着用によって前記踵開口部の周縁に引張力が加えられてもほつれの発生を効果的に防止して、繰り返し着用に耐えうる強度を保持することができる。
【図面の簡単な説明】
【００１９】
【図１】本実施形態の下肢用衣類（トレンカ）の着用状態を示す概略斜視図である。
【図２】下肢用衣類（トレンカ）の後面側を示す概略平面図である。
【図３】（Ａ）は踵開口部が形成されていないストッキング状編地の概略平面図（後面側）であり、（Ｂ）踵開口部のカットラインを示す要部拡大図である。
【図４】従来例を示す図である。
【図５】従来例を示す図である。
【発明を実施するための形態】
【００２０】
以下、本発明の下肢用衣類（トレンカ）の実施形態を図面を参照して説明する。
本実施形態のトレンカ１は、図１に示すように、履き口部２に連続するパンティ部３と、該パンティ部３に連続し足首から脚の付け根までを覆う一対のレッグ部４と、該レッグ部４に連続し足首から先端側を覆うフット部５からなる。フット部５には、踵を露出させる踵開口部６と、土踏まずから先端側の足先を露出させる足先開口部７とを設けている。
【００２１】
トレンカ１の編成には、繊度２０〜８０デシテックス（本実施形態では４７デシテックス）のポリウレタン糸にドラフト率２．５〜３．５倍（本実施形態では３倍）、撚り数２００〜１０００Ｔ／ｍ（本実施形態では４００Ｔ／ｍ）で繊度１０〜１２０デシテックス（本実施形態では７８デシテックス）のナイロン糸を巻き付けたシングルカバリング糸を用いている。トレンカ１は、前記シングルカバリング糸を用いて編成した丸編地に、後述するヒートセット加工を施しポリウレタン糸を熱融着させてほつれ止め機能を付与した伸縮性編地からなり、踵開口部６の周縁は縫着されずに切りっぱなし状態としている。足先開口部７も周縁を切りっぱなし状態とすることができるが、本実施形態ではダブルウエルトの端末組織から足先開口部７を形成している。
【００２２】
踵開口部６の形状は、図２に示すように、非着用状態で編地の縦方向(ウェール方向)を短軸方向、編地の横方向（コース方向）を長軸方向とする長円形状として踵開口部６の周縁にＲを持たせ、前記長円の短径Ｄ１を０．５〜４ｃｍ(本実施形態では１．５ｃｍ)、長径Ｄ２を３〜９ｃｍ（本実施形態では５．６ｃｍ）としている。
【００２３】
以下、本実施形態のトレンカ１の製造方法について説明する。
まず、ストッキング等の製造に一般的に使用される丸編機の給糸口に前記シングルカバリング糸を給糸して、図３（Ａ）に示されるパンティ部３、レッグ部４およびフット部５を有するストッキング状編地１０をプレーン編組織で編成する。ストッキング状編地１０は土踏まず位置まで筒状に編成された１対の丸編地を用い、パンティ部３に相当する部分に切れ目を入れて裁断線同士をつき合わせて縫着し一体化させることにより形成している。ストッキング状編地１０の下端はダブルウエルトの端末組織として土踏まずから先端側の足先を露出させる足先開口部７を形成している一方、踵開口部は形成していない。
なお、パンティ部３は、補整、引き締め機能等を付加するなど任意の構成としてもよく、レッグ部４も足首に向けて段階的に緊締力を高めていく構成としてもよい。
【００２４】
続いて前記ストッキング状編地１０にヒートセット加工を行う。ヒートセット温度は１００〜１３０℃（本実施形態では１１３℃）とし、ヒートセット時間は５〜６０秒間（本実施形態では２０秒間）としている。該ヒートセット加工により、シングルカバリング糸の芯糸であるポリウレタン糸同士を熱融着させて、ほつれ止め機能を編地に付与している。
【００２５】
ヒートセット加工後、図３（Ｂ）に示すように、ストッキング状編地１０の各レッグ部４ならびにフット部５の前中心線１１と後中心線１２を折り線として、レッグ部４、フット部５の内側面と外側面を重ね合わせ、踵位置で後中心線１２を短軸とした半長円形状（本実施形態ではＤ１＝１．５ｃｍ、Ｄ２／２＝２．８ｃｍ）に編地をカットする（カットラインＣ）。この作業により、長円形状を有し周縁が切りっぱなし状態の踵開口部６が形成され、本実施形態のトレンカ１の製造が完了する。なお、本実施形態では踵開口部６を長円形状としているが、楕円形状としてもよい。
【００２６】
前記のように、本実施形態のトレンカ１はシングルカバリング糸を形成するポリウレタン糸を熱融着させてほつれ止め機能を付与した編地からなるため、踵開口部６の周縁が縫着されずに切りっぱなし状態であっても端末からほつれが生じず強度低下を防止できる。したがって、踵開口部６の周縁で編地を折り返して縫着する等の作業が不要となり製造が容易となると共に、縫着によるごろつき感もないため快適な着用感を得ることができる。特に、非着用時における踵開口部６の形状を、編地の縦方向を短軸方向、編地の横方向を長軸方向とする長円形状として踵開口部６の周縁にＲを持たせているため、着用によって踵開口部６の周縁に引張力が加えられてもほつれの発生を効果的に防止して、繰り返し着用に耐えうる強度を保持することができる。
【００２７】
また、本実施形態では、熱融着弾性糸であるポリウレタン糸を芯糸とし該芯糸の周りにナイロン糸を巻き付けたシングルカバリング糸を用い、前記シングルカバリング糸を構成するポリウレタン糸の繊度やドラフト率、ナイロン糸の繊度や撚り数を前記範囲内としている。これにより、薄手で肌触りのよいフィット性に優れた編地を編成できると共にヒートセット加工によりポリウレタン糸同士の熱融着を促進してほつれ止め機能を高めることができる。
さらに、前記のように、踵開口部６の長円形状の短径を０．５〜４ｃｍ、長径を３〜９ｃｍとすることで、前記薄手の編地からなるトレンカ１の踵開口部６周縁に引張力が加えられてもほつれの発生が効果的に防止され、土踏まずや足首とのフィット感も向上する。
【符号の説明】
【００２８】
１  トレンカ
２  履き口部
３  パンティ部
４  レッグ部
５  フット部
６  踵開口部
７  足先開口部
１０  ストッキング状編地
【図１】
2011179134.tif 000003
【図２】
2011179134.tif 000004
【図３】
2011179134.tif 000005
【図４】
2011179134.tif 000006
【図５】
2011179134.tif 000007